(57)【特許請求の範囲】
【請求項１】
正方形状の布状片からなり、一隅部に略二等辺三角形状の錘部を設け、該錘部に粒状物からなる所定の重さの錘を備え、さらに上記錘がプラスチックスからなることを特徴とする体操用手具。
【請求項２】
請求項１記載の体操用手具において、上記布状片の一辺の長さが錘部の等しい二辺の長さに対し約５倍であることを特徴とする体操用手具。
【請求項３】
請求項１記載の体操用手具において、上記布状片の一辺の長さを５０ｃｍのｎ倍にしたとき上記錘部の錘の重さが２３ｇの２（ｎ2−１）倍程度であることを特徴とする体操用手具。
【請求項４】
請求項１乃至請求項３いずれか一記載の体操用手具において、上記布状片が織成布であることを特徴とする体操用手具。
【請求項５】
請求項１乃至請求項３いずれか一記載の体操用手具において、上記錘部に隣接する一隅部にストラップを付設することを特徴とする体操用手具。
【発明の詳細な説明】
【０００１】
【発明の属する技術分野】
本願発明は、体操用具、とくに体操用フラッグ等として使うことができる体操用手具に関する。
【０００２】
【従来の技術】
体操用手具というのは、体操の動作向上や見栄の向上を図るため、体操の際手に持つ器具のことをいう。
【０００３】
従来の体操用手具には、例えばフラッグ、棍棒、リボン、フープ等種々のものがある。
【０００４】
【発明が解決しようとする課題】
しかし、いずれも子供や老人あるいは体操経験の少ない人など素人（以下「低体力者」という）にとって、動きのぎこちなさや体力レベルの減弱があり、動作を長く続けることができず、すぐ休んだり中止したりしていた。これは用具の取扱いに不慣れなことにも起因するが、手具が規格化されて平均的な体力レベルに合わせられているため、「低体力者」個々の体力レベルに不適当乃至対応不能であったからである。
【０００５】
また、棒に布状片を取り付けたフラッグの場合、運動中振り回すことにより、接触（対人・対物）および転倒の際に棒でケガを負ったり負わせたりする危険があった。また、フラッグの場合棒があるため持ち運びに不便であった。
【０００６】
一方フラッグから棒を取り外した単なる布状片の場合には、振り回してもフラッグのように布状片が大きく広がらないため見栄えが悪い。また、このため、本人や指導者が動作の達成度（到達度）を正確に把握することができず、動作の向上や修正をすることが困難であった。
【０００７】
そこで本願発明は上記欠点を解消し、低体力者を含めた使用者が体操する際、動作の動きを正確に把握することができ、動作の向上や修正をすることができる手具を供すること目的とする。他の目的は以下の説明より明らかにする。
【０００８】
【課題を解決するための手段】
上記目的達成のため、本願発明による体操用手具は、正方形状の布状片からなり、一隅部に略二等辺三角形状の錘部を設け、該錘部に粒状物からなる所定の重さの錘を備え、さらに上記錘がプラスチックスからなることを特徴とする。
また、請求項１記載の体操用手具において、上記布状片の一辺の長さが錘部の等しい二辺の長さに対し約５倍であることを特徴とする。
また、請求項１記載の体操用手具において、上記布状片の一辺の長さを５０ｃｍのｎ倍にしたとき上記錘部の錘の重さが２３ｇの２（ｎ2−１）倍程度であることを特徴とする。
また、請求項１乃至請求項３いずれか一記載の体操用手具において、上記布状片が織成布であることを特徴とする。
また、請求項１乃至請求項３いずれか一記載の体操用手具において、上記錘部に隣接する一隅部にストラップを付設することを特徴とする。
【０００９】
【発明の実施の形態】
次に、実施の形態を示す図面に基づき本願発明による体操用手具を詳細に説明する。なお、便宜上同一の機能を奏する部分には同一の符号を付してその説明を省略する。
【００１０】
体操用手具１は正方形状の織成布からなる布状片３から構成される。該布状片３はポリアミド系の合成高分子化合物（ナイロン）からなり、一隅部に袋状の錘部５を設ける。該錘部５は略直角二等辺三角形の形状からなり、粒状物からなる錘７を有する。該錘７の粒径は、過度に大なるものは当たると痛いので不適であり、また粉状の如き粒径の過度に小なるものは手で持ったとき感触が悪く、布を貫通するのことがあるので不適である。本実施例では、形状：楕円柱（底面：小径２．５ｍｍ×大経３．２ｍｍ、高さ：３．０ｍｍ）、重さ：０．０２ｇ／１粒のバージンＡＢＳ樹脂からなるビーズ９を用いた。該ビーズ９の材質は、軟質のため衝撃に強く粉砕や変形が少ないことより、ＡＢＳ樹脂が望ましいが、他のプラスチックス材を用いることもできる。
【００１１】
ここで上記布状片３の一辺ａの長さと上記錘部５の一辺ｂの長さの関係は、表１の如くになっている。
【００１２】
【表１】
0003723958.tif 000002
【００１３】
即ち、錘部５の一辺ｂは、布状片３の一辺ａの長さが５０ｃｍのとき９．５ｃｍ、前者７０ｃｍのとき後者１３ｃｍ、前者８５ｃｍのとき後者１６ｃｍ、前者１００ｃｍのとき後者１８．５ｃｍであり、辺ａと辺ｂの比ａ／ｂは、５０ｃｍの場合「５．３」、７０ｃｍの場合「５．４」、８５ｃｍの場合「５．３」、１００ｃｍの場合「５．４」と略一定である。
【００１４】
また上記布状片３の「一辺ａの長さ」と上記錘部５の「錘７の重さｗ」の関係は、表２の如くになっている。
【００１５】
【表２】
0003723958.tif 000003
【００１６】
即ち、布状片３の一辺ａの長さが５０ｃｍのとき錘７の重さｗは２３ｇであり、前者７０ｃｍのとき後者５０ｇ、前者８５ｃｍのとき後者９０ｇ、前者１００ｃｍのとき後者１３２ｇである。このとき布状片３の一辺ａの長さと錘７の重さｗとの比は、前者５０ｃｍの場合を「１」とすると、７０ｃｍの場合が「１．４」、８５ｃｍの場合が「１．７」、１００ｃｍの場合が「２」である。また、布状片３の面積は、順次２，５００ｃｍ2、４，９００ｃｍ2、７，２２５ｃｍ2、１０，０００ｃｍ2である。
【００１７】
この場合において、上記布状片３の「一辺ａの長さ」と上記錘部５の「錘７の重さｗ」とは、表２をグラフ化した図２より、前者をｎ倍にしたとき後者が約２（ｎ2−１）倍の関係になっている。
【００１８】
ここで、錘部５の形状及び辺ｂの寸法について述べておく。錘部５の形状については、例えば正方形のような他の形状を一隅部に形成してみたが、錘７の動き安定性という点から、結局二等辺三角形状のものとしたのである（例えば、正方形の場合はなびかせる等動的動作をすると、「遊び」が生ずるため錘７が動き不安定である）。また辺ｂの寸法は種々の試行の結果、布状片３の拡開性と錘７の動き安定性という点から、表１に示すような長さに落ち着いたものである。そして、布状片３の一辺ａと錘部５の一辺ｂとの比ａ／ｂは、辺ｂを「１」とした場合辺ａが約５倍のとき、布状片３が最も良好に拡開し、かつ錘７の動きが安定するのである。
【００１９】
また、上記布状片３の「一辺ａの長さ」には「体操用手具に関する」という適用対象からくる一定の許容範囲がある。即ち、布状片３は、使用者が直立したときの地面から肘までの高さＨ（図３に示す）を、布状片３の対角線ｃの長さと略同じとしたものである。また、車椅子などに座ったまま使用する場合も同様に地面から肘までの高さＨ´となる。よって、種々の身長差がある使用者を考慮すると多少の誤差は許容範囲である。例えば次の如きである。
【００２０】
実施例１（辺ａを５０ｃｍ、辺ｂを１０ｃｍに設計した場合）
実際の辺ａ      ４８ｃｍ（誤差２ｃｍ）
実際の辺ｂ        ９．５ｃｍ（誤差０．５ｃｍ）
実際の辺ａ／ｂ  約５．１
【００２１】
実施例２（辺ａを７０ｃｍ、辺ｂを１３ｃｍに設計した場合）
実際の辺ａ        ６８ｃｍ（誤差２ｃｍ）
実際の辺ｂ        １２．５ｃｍ（誤差０．５ｃｍ）
実際の辺ａ／ｂ    約５．４４
【００２２】
実際の製品は地面から肘までの高さＨ、Ｈ´と布状片３の対角線ｃの長さとを正確に一致させることは困難である。例えば、布状片３の辺ａを５０ｃｍ、辺ｂを１０ｃｍに設計した５０ｃｍものが身長１１０ｃｍの使用者を念頭に設計され、同じく辺ａを７０ｃｍ、辺ｂを１３ｃｍに設計した７０ｃｍものが身長１５５ｃｍの使用者を念頭に設計されたとした場合、身長１１０ｃｍと同１５５ｃｍの中間の身長の者は上記高さの個人差により５０ｃｍものの製品か７０ｃｍものの製品かのいずれかを選択することになる。よって、実施例１及び同２程度の誤差は当然に許容範囲の中に含まれる。
【００２３】
また、布状片３の対角線ｃの長さの設計を地面から肘までの高さＨ、Ｈ´に係らしめるということは、布状片３の大きさの上限をも意味する。これは、布状片３の大きさを過度に大にすると、体操の際手具となる布状片３が接地する等支障となりかねないからである。よって布状片３の大きさは、「体操用手具に関する」という適用対象からくる上限があるのである。具体的には、例えば身長１７０ｃｍの者であっても７０ｃｍものの製品を使うこととなり、かかる意味で誤差許容範囲となる。
【００２４】
次に、本願発明による体操用手具１は錘部に隣接する隅部（隣接隅部）１１を手で持ち、「振る」、「なびかせる」、「揺らす」、「まわす」といった動的な動作あるいは垂らす動作をする。基本の持ち方は「つまむ」、「つかむ」、「握る」「引っかける」等であり、基本動作は「折る」「かける」「巻く」「掲げる」「張る」「垂らす」「なびかせる」「振る」「しごく」等である。
【００２５】
行なう体操は「ストレッチ」「歩く」「揺らす」「まわす」「振りまわす」という動作や、２人組となった「引きのばし」「そる」「のびる・しゃがむ」「まわる」「またぐ」「ころがる」という動作、３人以上で行なう「歩く」「振る」「しごく」「くぐりぬける」「まげのばす」「開合」「方向転換」という動作等がある。
【００２６】
動的な動作の際、布状片３の一辺ａの長さと上記錘部５の錘７の重さｗの関係につき、前者をｎ倍にしたとき後者が約２（ｎ2−１）倍の関係になるようにしてあるから、布状片３が良く拡開する。
【００２７】
このため手や腕の動きが明確となり、全身の動きを正確に把握することができ、容易に動作の向上や修正をすることが可能となる。この結果、バランスの良い身体活動や運動を可能にする。また動作の際、使用者にかかる負担が過度に大とならない。
【００２８】
布状片３の一辺ａの長さと上記錘部５の錘７の重さｗの関係を上記の如きとしたのは経験上の観点からである。即ち、錘７の重さを過度に大とすると使用者にかかる負担が過度に大となり適当でない。また錘７の重さを過度に小とすると布状片３が良く拡開しない。
【００２９】
使用者とくに低体力者は手具体操中転倒するおそれがあるため、棒などを持っていると危険であるが、本願発明によれば布状片が軽くて柔らかく、また棒がないためそのおそれがない。そのことが使用者にとって安心感となり、手具体操に対する恐怖心を減少せしめる。このため、手具体操に対し親しみがわき、また手軽に楽しく行うことができるから、導入・継続し易くなる。
【００３０】
また、本実施の形態による体操用手具１は簡単な構成からなるから、上記（［００２４］）の如く種々の持ち方、種々の基本動作をすることができ、行なう体操も上記（［００２５］）の如く種々あり、動作が制約されない効果がある。よって、この面からも手具体操に対する親しみが増加し、意欲的に楽しく行うことができる。また、指先から全身に至る身体の諸機能を使う運動が可能となり、生活習慣病の予防に役立つ。さらに立位姿勢、座姿勢、臥姿勢など、種々の姿勢での運動にも対応可能である。
【００３１】
また、隣接隅部１１を持つと、錘部５が下方に位置するため、揺れるように動かしたくなる衝動にかられる。これは本願発明による体操用手具１は一見単なる布状片であるが、振り回すとフラッグのようになびくため、その意外性から自ら体験しようという衝動にかられるからである。よって、この面からも手具体操の導入性、継続性に貢献する。
【００３２】
また、動的な動作をした場合、布状片３が拡開するので見栄えががする。このため集団演技の用具としても適する。
【００３３】
また、１人でも、２人組でも、グループ体操やマス・ゲーム用にも適用可能であり、人数に制約されない。
【００３４】
体操上の基本的な動作を身につけさせることができ、体操のし始めから生涯体操まで、年齢及び体力レベルを問わず、適用可能である。
【００３５】
さらに、布状片３からなるため、小さく畳んで持ち運べるので、収納性、携帯性に利便である。
【００３６】
本願発明による体操用手具は上記した実施の形態に制約されない。例えば、布状片３は薄く、伸縮性が低く、引っ張り強度が高く、耐久性の高い織成布が適するが、織成布であればその素材は問わない。例えば木綿、ナイロン、ポリエステル等が適している。
【００３７】
また、錘７の素材は任意であるが、洗浄可能なことよりプラスチックスが望ましい。
【００３８】
さらに、錘部５に隣接する一隅部に手持用ストラップ（図示せず）を付設してもよい。これによって、布状片３を一定方向に連続して振り回したときの布状片３のねじれを防止し、さらに「引っかける」「手首に通す」などの持ち方を取り入れることができる。
【００３９】
【発明の効果】
このように、本願発明にかかる体操用手具によれば、使用者が体操する際、動作の動きを正確に把握することができるから、動作の向上や修正をすることができる。また、使用者に用具に対する恐怖心を惹起せしめないから、使用者に楽しみ易く、手具体操を導入し易くすることができる。さらに、持ち運びや収納に便利であるという効果がある。
【図面の簡単な説明】
【図１】本願発明による体操用手具の一実施の形態を示す正面図である。
【図２】布状片の一辺ａの長さと錘部の重さｗとの関係を示すグラフである。
【図３】布状片の対角線ｃの長さと使用者の肘までの高さＨ、Ｈ´との関係を示すために用いる図である。
【符号の説明】
１    体操用手具
３    布状片
５    錘部
７    錘
９    ビーズ
１１  隣接隅部
ａ  辺
ｂ  辺
ｃ    対角線
【図１】
0003723958.tif 000004
【図２】
0003723958.tif 000005
【図３】
0003723958.tif 000006